(57)【要約】【課題】フロントカバー又はフロントキャビネットのいずれか一方に、対向する側面に係合部を交互に設けてある溝部を設け、他方に前記係合部に係合する被係合部を設けることにより、成形誤差が生じた場合であってもフロントカバーの取付けを効率よく行うことができる表示装置を提供する。【解決手段】フロントキャビネット１の開口部１ｅの周囲に、全周に亘って溝部１０を設け、該溝部１０の互いに対向する外側溝側面１０ａ及び内側溝側面１０ｂのそれぞれに、複数の爪部１１ａ及び１１ｂのそれぞれを交互に設けて置き、フロントカバー３の全周に亘って舌片部３１を備える突条３０を周設し、舌片部３１に開設してある孔部３２を前記爪部１１ａ及び１１ｂに係合させる構成とした。【選択図】図２
2008083562.tif 000002
【特許請求の範囲】
【請求項１】
正面を表示面とする表示部と、該表示部の周縁を包囲しており、正面に開口部を有するキャビネットと、前記開口部の周囲を覆うカバー部とを備える表示装置において、
前記開口部の周囲又は前記カバー部の周囲の一方に溝部が設けられ、他方に突起部が設けられており、前記溝部は対向する側面のそれぞれに係合部を備え、前記突起部は前記係合部に係合する被係合部を備えることを特徴とする表示装置。
【請求項２】
前記溝部は、前記開口部又はカバー部の周方向に沿って複数設けられていることを特徴とする請求項１に記載の表示装置。
【請求項３】
前記係合部は前記側面のそれぞれにて、前記開口部又はカバー部の周方向に沿って交互に設けられていることを特徴とする請求項１又は２に記載の表示装置。
【請求項４】
正面を表示面とする表示部と、該表示部の周縁を包囲しており、正面に開口部を有するキャビネットと、前記開口部の周囲を覆うカバー部とを備える表示装置において、
前記開口部の周囲又は前記カバー部の周囲の一方に、前記開口部又はカバー部の周方向に沿って複数の溝部が設けられ、他方に突起部が設けられており、前記溝部は対向する側面を有し、一の溝部の一側面及び一の溝部に相隣する他の溝部の他側面に係合部が設けられており、前記突起部は前記係合部に係合する被係合部を備えることを特徴とする表示装置。
【請求項５】
前記係合部は爪部であり、前記被係合部は前記爪部に係合する孔部であること特徴とする請求項１乃至４のいずれか１つに記載の表示装置。
【発明の詳細な説明】
【技術分野】
【０００１】
本発明は、キャビネットへのカバーの取付けを効率よく行うことができる表示装置に関する。
【背景技術】
【０００２】
従来のテレビ受像機にあっては、固定端を有するキャビネットと、該固定端に係合させる固定爪を有するバックカバーとを備えていた。このテレビ受像機は固定端及び固定爪を設けることにより、螺子等の固定部材を用いることなくキャビネット及びバックカバーの取付けを行い、テレビ受像機の組立に必要な部品点数を減らし、テレビ受像機の組立費用の軽減を図っている（特許文献１参照）。
【０００３】
またフロントキャビネットと、リヤキャビネットとを備える液晶表示装置が従来から提案されている。フロントキャビネット及びリヤキャビネットは一般に樹脂の一体成形により製造されており、フロントキャビネットを樹脂の一体成形により製造するときには、リヤキャビネットと結合するための結合用リブを背面側に設けておく必要がある。しかし、結合用リブを背面側に設けると、フロントキャビネットの正面に窪み、いわゆるヒケが生じ、外観意匠性を損なう虞があった。
【０００４】
そこでフロントキャビネットに係合孔を開設し、該係合孔に係合する係合爪を備えるフロントカバーをフロントキャビネットの正面に取付けることにより、フロントキャビネットに生じるヒケを隠蔽し、液晶表示装置の外観意匠性を向上させていた。
【特許文献１】特開平４−１３２３７６号公報
【発明の開示】
【発明が解決しようとする課題】
【０００５】
特許文献１に記載のテレビ受像機にあっては、キャビネット又はバックカバーが公差を超える寸法で成形された場合に、前記固定端及び固定爪の位置が対応せず、キャビネットのバックカバーへの取付けが困難となり、キャビネット又はバックカバーの歩留まりを低下させる虞があった。
【０００６】
また従来から提案されている液晶表示装置にあっても、フロントキャビネット及びフロントカバーを樹脂で一体成形するときの成形条件によっては、フロントキャビネット又はフロントカバーは公差を超える寸法で成形されるので、前記係合孔及び係合爪の位置が対応せず、前記係合孔及び係合爪の係合が不十分となり、フロントキャビネット又はフロントカバーの歩留まりを低下させる虞があった。
【０００７】
本発明は斯かる事情に鑑みてなされたものであり、キャビネット又はカバー部のいずれか一方に溝部を設け、該溝部の対向する側面のそれぞれに係合部を設け、前記キャビネット又はカバー部の他方に前記係合部が係合する被係合部を設けることにより、前記キャビネット又はカバー部が公差を超える寸法で成形された場合でも、両者の係合を十分に行うことができる表示装置を提供することを目的とする。
【０００８】
また前記溝部を前記開口部又はカバー部の周方向に沿って複数設けることにより、前記溝部を前記開口部又はカバー部の全周に亘って設ける場合に比して、前記キャビネット又はカバー部の剛性を向上させるので、前記キャビネット又はカバー部の歪を生じ難くさせることができる表示装置を提供することを目的とする。
【０００９】
また前記係合部を前記側面のそれぞれにて、前記開口部又はカバー部の周方向に沿って交互に設けることにより、前記係合部及び被係合部が偏った位置で係合することを防ぎ、前記カバー部を前記キャビネットに取付けた後も安定に支持することができる表示装置を提供することを目的とする。
【００１０】
また前記溝部を前記開口部又はカバー部の周方向に沿って複数設け、前記係合部を一の溝部の一側面及び一の溝部に相隣する他の溝部の他側面に設けることにより、前記係合部及び被係合部が偏った位置で係合することを防ぎ、前記カバー部を前記キャビネットに取付けた後も安定に支持することができる表示装置を提供することを目的とする。
【００１１】
また前記係合部を爪部とし、前記被係合部を前記爪部に係合する孔部とすることにより、前記孔部は前記側面のいずれに対しても開口しているので、前記孔部を前記側面に設けられている前記爪部のいずれにも係合させることができる表示装置を提供することを目的とする。
【課題を解決するための手段】
【００１２】
本発明に係る表示装置は、正面を表示面とする表示部と、該表示部の周縁を包囲しており、正面に開口部を有するキャビネットと、前記開口部の周囲を覆うカバー部とを備える表示装置において、前記開口部の周囲又は前記カバー部の周囲の一方に溝部が設けられ、他方に突起部が設けられており、前記溝部は対向する側面のそれぞれに係合部を備え、前記突起部は前記係合部に係合する被係合部を備えることを特徴とする。
【００１３】
本発明においては、前記キャビネット又はカバー部の一方に溝部を設け、該溝部の対向する側面のそれぞれに係合部を設け、前記キャビネット又はカバー部の他方に該係合部に係合する被係合部を設けることにより、前記キャビネット又はカバー部が公差を超える寸法で成形され、前記溝部の一側面に設けられた係合部と前記被係合部とが十分に係合しなかった場合には、前記一側面に対向する他側面に設けられた係合部と前記被係合部とが十分に係合する。
【００１４】
また本発明に係る表示装置は、前記溝部は、前記開口部又はカバー部の周方向に沿って複数設けられていることを特徴とする。
【００１５】
本発明においては、前記溝部を前記開口部又はカバー部の周方向に沿って複数設けることにより、前記溝部を前記開口部又はカバー部の全周に亘って設ける場合に比して、前記キャビネット又はカバー部の剛性を向上させることができる。
【００１６】
また本発明に係る表示装置は、前記係合部は前記側面のそれぞれにて、前記開口部又はカバー部の周方向に沿って交互に設けられていることを特徴とする。
【００１７】
本発明においては、前記係合部を前記側面のそれぞれにて、前記開口部又はカバー部の周方向に沿って交互に設けることにより、前記係合部及び被係合部が偏った位置で係合することを防ぎ、前記カバー部は前記キャビネットに取付けた後も安定に支持される。
【００１８】
また本発明に係る表示装置は、正面を表示面とする表示部と、該表示部の周縁を包囲しており、正面に開口部を有するキャビネットと、前記開口部の周囲を覆うカバー部とを備える表示装置において、前記開口部の周囲又は前記カバー部の周囲の一方に、前記開口部又はカバー部の周方向に沿って複数の溝部が設けられ、他方に突起部が設けられており、前記溝部は対向する側面を有し、一の溝部の一側面及び一の溝部に相隣する他の溝部の他側面に係合部が設けられており、前記突起部は前記係合部に係合する被係合部を備えることを特徴とする。
【００１９】
本発明においては、前記係合部を一の溝部の一側面及び一の溝部に相隣する他の溝部の他側面に設けることにより、前記係合部及び被係合部が偏った位置で係合することを防ぎ、前記カバー部は前記キャビネットに取付けた後も安定に支持される。
【００２０】
また本発明に係る表示装置は、前記係合部は爪部であり、前記被係合部は前記爪部に係合する孔部であること特徴とする。
【００２１】
本発明においては、前記係合部を爪部とし、前記被係合部を前記爪部に係合する孔部とすることにより、前記孔部は、前記側面のいずれに対しても開口しているので、前記側面に設けられている前記爪部のいずれにも係合し得る。
【発明の効果】
【００２２】
本発明に係る表示装置においては、前記キャビネット又はカバー部のいずれか一方に溝部を設け、該溝部の対向する側面のそれぞれに係合部を設け、前記キャビネット又はカバー部の他方に該係合部に係合する被係合部を設けることにより、前記キャビネット又はカバー部が公差を超える寸法で成形され、前記溝部の一側面に設けられた係合部と前記被係合部とが十分に係合しなかった場合には、前記一側面に対向する他側面に設けられた係合部と前記被係合部とが十分に係合する。したがって、前記キャビネット又はカバー部に成形誤差が生じても、前記カバー部の前記キャビネットへの取付けを行うことができ、前記キャビネット又はカバー部の歩留まりを向上させることができる。
【００２３】
また本発明に係る表示装置においては、前記溝部を前記開口部又はカバー部の周方向に沿って複数設けることにより、前記溝部を前記開口部又はカバー部の全周に亘って設ける場合に比して、前記キャビネット又はカバー部の剛性を向上させるので、前記キャビネット又はカバー部は歪を生じ難くなる。
【００２４】
また本発明に係る表示装置においては、前記係合部を前記側面のそれぞれにて、前記開口部又はカバー部の周方向に沿って交互に設けることにより、前記係合部及び被係合部が偏った位置で係合することを防ぎ、前記カバー部は前記キャビネットに取付けた後も安定に支持されるので、前記カバー部が前記キャビネットにて、例えば運搬するときの振動により揺動することを防止できる。
【００２５】
また本発明に係る表示装置においては、前記係合部を一の溝部の一側面及び一の溝部に相隣する他の溝部の他側面に設けることにより、前記係合部及び被係合部が偏った位置で係合することを防ぎ、前記カバー部は前記キャビネットに取付けた後も安定に支持されるので、前記カバー部が前記キャビネットにて、例えば運搬するときの振動により揺動することを防止できる。
【００２６】
また本発明に係る表示装置においては、前記係合部を爪部とし、前記被係合部を前記爪部に係合する孔部とすることにより、前記孔部は、前記側面のいずれに対しても開口しているので、前記側面に設けられている前記爪部のいずれにも係合し得る。したがって孔部が前記突起部に形成されていれば良く、前記突起部は簡素な構成となり、前記キャビネット又はカバー部の成形費用を軽減することができる。
【発明を実施するための最良の形態】
【００２７】
（実施の形態１）
以下本発明に係る表示装置を実施の形態１を示す図面に基づいて詳述する。図１は実施の形態１に係る表示装置を示す正面図、図２は溝部１０の内部を透視して示したフロントキャビネット１及びフロントカバー３の模式的分解斜視図、図３はフロントキャビネット１及びフロントカバー３の係合状態を説明する模式的断面図である。
【００２８】
図において１は、表示装置の前側の外装をなしており、正面に開口部１ｅを有する矩形枠形のフロントキャビネットであり、矩形の表示部２の周縁を包囲している。表示部２は、フロントキャビネット１の内部にて、開口部１ｅに近接した状態で支持されている。フロントキャビネット１の背面側に、図示しない箱形のリヤキャビネットがフロントキャビネット１と嵌合して設けられており、該リヤキャビネットの内部には、図示しないバックライト及び回路基板が支持されている。
【００２９】
フロントキャビネット１の外縁部分は矩形の外枠部１ａとなっている。外枠部１ａの背面には、前記リヤキャビネットの外縁部分に嵌合するための正面方向に窪んでなる嵌合凹部１ｂが形成されており、外枠部１ａの正面は正面方向に向けて湾曲して突出し、外枠部１ａの断面形状はＵ字状となっている。
【００３０】
フロントキャビネット１の内縁部分は矩形枠板状の内枠部１ｃとなっており、内枠部１ｃの外周部分は背面方向に向けて突出しており、内枠部１ｃの断面形状は倒立Ｌ字形となっている。内枠部１ｃの前記外周部分の端面に、矩形枠板状の奥板部１ｄの正面側の内周部分が連設しており、奥板部１ｄの外周部分の端面は前記外枠部１ａの内枠部１ｃ側の側面に連設し、外枠部１ａ、内枠部１ｃ及び奥板部１ｄは一体に成形されている。また内枠部１ｃの内周部分は開口部１ｅを形成している。
【００３１】
前記外枠部１ａの内枠部１ｃ側の側面、該側面に対向する内枠部１ｃの側面及び奥板部１ｄの正面により、溝部１０が形成されており、開口部１ｅの全周に亘って溝部１０が設けられている。前記外枠部１ａの内枠部１ｃ側の側面は外側溝側面１０ａとなっており、外側溝側面１０ａに対向する内枠部１ｃの側面は内側溝側面１０ｂとなっており、奥板部１ｄの正面は底面１０ｃとなっている。
【００３２】
外側溝側面１０ａに、溝部１０の溝幅を背面に向けて縮幅する傾斜面を備えた爪部１１ａ、１１ａ、・・・が等配されており、前記外側溝側面１０ａに対向する内側溝側面１０ｂには、溝部１０の溝幅を背面に向けて縮幅する傾斜面を備えた爪部１１ｂ、１１ｂ、・・・が、爪部１１ａ、１１ａ、・・・と、開口部１ｅの周方向に沿って適当な間隔を隔てて交互に等配されている。また爪部１１ａ及び１１ｂ付近での底面１０ｃに、後述する舌片部３１が挿通される挿通孔１２、１２、・・・が開設されている。
【００３３】
開口部１ｅの周囲に設けられている装飾のためのフロントカバー３の構成について説明する。フロントカバー３は、フロントキャビネット１の正面を覆うための適当な幅を有する矩形板枠状をなしている。フロントカバー３の外周縁近傍には、背面方向に向けて立ち上げて形成されており、弾性を有する突条３０がフロントカバー３の全周に亘って周設され、フロントカバー３の内周部分は背面方向に向けて突出しており、フロントカバー３の断面形状は略コ字形となっている。突条３０の一部は、背面方向に向けて突出した部分を備える舌片部３１、３１、・・・となっており、舌片部３１の基端には、前記爪部１１ａ又は１１ｂに係合する孔部３２が開設されている。
【００３４】
フロントカバー３のフロントキャビネット１への取付けについて説明する。まずフロントカバー３の突条３０を溝部１０に挿入する。突条３０の溝部１０への挿入により、舌片部３１の先端は爪部１１ａ又は１１ｂの傾斜面に当接し、舌片部３１は弾性変形して撓む。フロントカバー３が更に押し込まれると、舌片部３１は撓んだ状態で前記傾斜面を摺動し、舌片部３１の先端部分は前記傾斜面の頂上を乗り越えて、挿通孔１２に挿通される。そして前記傾斜面の頂上に孔部３２が至り、弾性復元力により舌片部３１は元の形状に戻るので、前記孔部３２に爪部１１ａ又は１１ｂの傾斜頂部が入り込んで係合し、フロントカバー３はフロントキャビネット１へ取付けられる。
【００３５】
フロントキャビネット１及びフロントカバー３は樹脂により成形されており、いずれもが公差内の寸法で成形された場合に、前記突条３０を溝部１０に挿入すると、図３（ａ）にて示す如く前記外側溝側面１０ａ及び内側溝側面１０ｂの間の略中央に孔部３２は位置するので、爪部１１ａ又は１１ｂのいずれにも孔部３２は十分に係合する。
【００３６】
フロントキャビネット１が公差内の最小寸法よりも小さい寸法で成形された場合又はフロントカバー３が公差内の最大寸法よりも大きい寸法で成形された場合に、前記突条３０を溝部１０に挿入すると、図３（ｂ）にて示す如く、孔部３２は前記外側溝側面１０ａ寄りに位置するので、爪部１１ｂは孔部３２に十分には係合しないが、爪部１１ａは孔部３２に十分に係合する。
【００３７】
フロントキャビネット１が公差内の最大寸法よりも大きい寸法で成形された場合又はフロントカバー３が公差内の最小寸法よりも小さい寸法で成形された場合に、前記突条３０を挿通孔１２に挿通させると、図３（ｃ）にて示す如く、孔部３２は前記内側溝側面１０ｂ寄りに位置するので、爪部１１ａは孔部３２に十分には係合しないが、爪部１１ｂは孔部３２に十分に係合する。
【００３８】
実施の形態１に係る表示装置においては、前記フロントキャビネット１又はフロントカバー３のいずれか一方に溝部１０を設け、外側溝側面１０ａ及び内側溝側面１０ｂに爪部１１ａ又は１１ｂを設け、前記フロントキャビネット１又はフロントカバー３の他方に前記爪部１１ａ又は１１ｂに係合する孔部３２を設けることにより、前記フロントキャビネット１又はフロントカバー３が公差を超える寸法で成形され、爪部１１ａ又は１１ｂのいずれか一方と前記孔部３２とが十分に係合しなかった場合には、前記爪部１１ａ又は１１ｂの他方と前記孔部３２とが十分に係合する。したがって、前記フロントキャビネット１又はフロントカバー３に成形誤差が生じても、前記フロントカバー３の前記フロントキャビネット１への取付けを行うことができ、前記フロントキャビネット１又はフロントカバー３の歩留まりを向上させることができる。
【００３９】
また前記爪部１１ａ及び１１ｂを外側溝側面１０ａ及び内側溝側面１０ｂにて、開口部１ｅの周方向に沿って適当な間隔を隔てて交互に設けることにより、前記爪部１１ａ及び１１ｂ並びに孔部３２が偏った位置で係合することを防ぎ、前記フロントカバー３は前記キャビネットに取付けた後も安定に支持されるので、前記フロントカバー３が前記フロントキャビネット１にて、例えば運搬するときの振動により揺動することを防止できる。
【００４０】
また爪部１１ａ及び１１ｂを前記外側溝側面１０ａ及び内側溝側面１０ｂに設け、前記爪部１１ａ及び１１ｂに係合する孔部３２を備える突条３０を前記フロントカバー３に設けることにより、前記孔部３２は、前記外側溝側面１０ａ及び内側溝側面１０ｂの両方に対して開口し、前記爪部１１ａ及び１１ｂのいずれにも係合し得る。したがって孔部３２が突条３０に形成されていれば良く、前記フロントカバー３は簡素な構成となり、フロントカバー３の成形費用を軽減することができる。
【００４１】
なお爪部１１ａ及び１１ｂは弾性を有する構成であっても良い。また突条３０に限らず、柱形状その他の突起した形状を設けても良い。また表示装置としては、液晶表示装置・プラズマ表示装置・ＳＥＤディスプレイ・ＥＬディスプレイ等が挙げられる。
【００４２】
（実施の形態２）
以下、本発明に係る表示装置を実施の形態２を示す図面に基づいて詳述する。図４は溝部１０の内部を透視して示したフロントキャビネット１及びフロントカバー３の模式的分解斜視図である。
【００４３】
フロントキャビネット１の正面に開設されている開口部１ｅの周囲に、適当な長さの複数の溝部１０、１０、・・・が前記開口部１ｅの周方向に沿って設けられている。溝部１０の外側溝側面１０ａに、溝部１０の溝幅を背面に向けて縮幅する傾斜面を備えた爪部１１ａが設けられており、前記外側溝側面１０ａに対向する内側溝側面１０ｂには、溝部１０の溝幅を背面に向けて縮幅する傾斜面を備えた爪部１１ｂが、前記フロントキャビネット１の開口部１ｅの周方向に沿って、爪部１１ａと異なる位置に交互に設けられている。また溝部１０の背面側に後述する舌片部３１が挿通される挿通孔１２が開設されている。
【００４４】
開口部１ｅの周囲に設けられている装飾のためのフロントカバー３の構成について説明する。フロントカバー３はフロントキャビネット１の正面を覆うための適当な幅を有する矩形板枠状をなしている。フロントカバー３の外周縁近傍には、背面方向に向けて立ち上げて形成されており、弾性を有する複数の突条３０、３０、・・・が周設されている。突条３０の一部には、背面方向に向けて突出した部分を備える二つの舌片部３１、３１が隣接して設けられており、舌片部３１、３１の基端には、前記爪部１１ａ又は１１ｂに係合する孔部３２、３２が開設されている。
【００４５】
フロントカバー３のフロントキャビネット１への取り付けは実施の形態１と同様であり、その詳細な説明は省略する。
【００４６】
実施の形態２に係る表示装置においては、前記溝部１０を前記開口部１ｅ又はフロントカバー３の周方向に沿って複数設けることにより、前記溝部１０を前記開口部１ｅ又はフロントカバー３の全周に亘って設ける場合に比して、前記フロントキャビネット１又はフロントカバー３の剛性を向上させるので、前記フロントキャビネット１又はフロントカバー３は歪を生じ難い。
【００４７】
なお溝部１０の外側溝側面１０ａ又は内側溝側面１０ｂに設けられている爪部１１ａ又は１１ｂは、複数設けられていても良く、この場合は爪部１１ａ又は１１ｂに対応する孔部３２が開設される。
【００４８】
実施の形態２に係る表示装置の構成の内、実施の形態１と同じ構成については同じ符号を付し、その詳細な説明を省略する。
【００４９】
（実施の形態３）
以下、本発明に係る表示装置を実施の形態３を示す図面に基づいて詳述する。図５は溝部１０の内部を透視して示したフロントキャビネット１及びフロントカバー３の模式的分解斜視図である。
【００５０】
フロントキャビネット１の正面に開設されている開口部１ｅの周囲に、適当な長さの複数の溝部１０、１０、・・・が前記開口部１ｅの周方向に沿って設けられている。一の溝部１０の外側溝側面１０ａに、溝部１０の溝幅を背面に向けて縮幅する傾斜面を備えた爪部１１ａが設けられている。一の溝部１０に相隣する他の溝部１０の内側溝側面１０ｂには、溝部１０の溝幅を背面に向けて縮幅する傾斜面を備えた爪部１１ｂが設けられている。また溝部１０の背面側に後述する舌片部３１が挿通される挿通孔１２が開設されている。
【００５１】
開口部１ｅの周囲に設けられている装飾のためのフロントカバー３の構成について説明する。フロントカバー３は、フロントキャビネット１の正面を覆うための適当な幅を有する矩形板枠状をなしている。フロントカバー３の外周縁近傍には、背面方向に向けて立ち上げて形成されており、弾性を有する複数の突条３０、３０、・・・が周設されている。突条３０の一部は、背面方向に向けて突出した部分を備える舌片部３１となっており、舌片部３１の基端には、前記爪部１１ａ又は１１ｂに係合する孔部３２が開設されている。
【００５２】
フロントカバー３のフロントキャビネット１への取り付けは実施の形態１又は２と同様であり、その詳細な説明は省略する。
【００５３】
前記爪部１１ａを一の溝部１０の外側溝側面１０ａに設け、前記爪部１１ｂを、一の溝部１０に相隣する他の溝部１０の内側溝側面１０ｂに設けることにより、前記爪部１１ａ及び１１ｂ並びに孔部３２が偏った位置で係合することを防ぎ、前記フロントカバー３は前記フロントキャビネット１に取付けた後も安定に支持されるので、前記フロントカバー３が前記フロントキャビネット１にて、例えば運搬するときの振動により揺動することを防止できる。
【００５４】
実施の形態３に係る表示装置の構成の内、実施の形態１又は２と同じ構成については同じ符号を付し、その詳細な説明を省略する。
【図面の簡単な説明】
【００５５】
【図１】実施の形態１に係る表示装置を示す正面図である。
【図２】実施の形態１に係る表示装置の、溝部の内部を透視して示したフロントキャビネット及びフロントカバーの模式的分解斜視図である。
【図３】実施の形態１に係る表示装置のフロントキャビネット及びフロントカバーの係合状態を説明する模式的断面図である。
【図４】実施の形態２に係る表示装置の、溝部の内部を透視して示したフロントキャビネット及びフロントカバーの模式的分解斜視図である。
【図５】実施の形態３に係る表示装置の、溝部の内部を透視して示したフロントキャビネット及びフロントカバーの模式的分解斜視図である。
【符号の説明】
【００５６】
１  フロントキャビネット
１ｅ  開口部
２  表示部
３  フロントカバー
１０  溝部
１０ａ  外側溝側面
１０ｂ  内側溝側面
１１ａ、１１ｂ  爪部
３０  突条（突起部）
３２  孔部
【図１】
2008083562.tif 000003
【図２】
2008083562.tif 000004
【図３】
2008083562.tif 000005
【図４】
2008083562.tif 000006
【図５】
2008083562.tif 000007